(57)【要約】  本開示は、チャネル伝送方法、端末及びネットワーク機器を提供し、その方法は、識別値が０である制御リソースセットＣＯＲＥＳＥＴ０の目標ＴＣＩ状態情報を取得することと、所定の条件が満たされると、物理下りチャネルを、目標ＴＣＩ状態情報に基づいて受信することとを含み、ここで、物理下りチャネルは、ＰＤＣＣＨ及びＰＤＳＣＨのうちの少なくとも１つを含む。
2021520129.tif 000002
【特許請求の範囲】
【請求項１】
端末側に適用されるチャネル伝送方法であって、
識別値が０である制御リソースセットＣＯＲＥＳＥＴ０の目標ＴＣＩ（Ｔｒａｎｓｍｉｓｓｉｏｎ  Ｃｏｎｆｉｇｕｒａｔｉｏｎ  ｉｎｄｉｃａｔｏｒ）状態情報を取得することと、
所定の条件が満たされると、物理下りチャネルを、前記目標ＴＣＩ状態情報に基づいて受信することとを含み、ここで、前記物理下りチャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅ  Ｃｈａｎｎｅｌ）のうちの少なくとも１つを含む、チャネル伝送方法。
【請求項２】
前記の所定の条件が満たされると、物理下りチャネルを、前記目標ＴＣＩ状態情報に基づいて受信することは、
前記所定の条件が満たされる場合、前記物理下りチャネルと前記ＣＯＲＥＳＥＴ０とがＱＣＬ（ｑｕａｓｉ  ｃｏ−ｌｏｃａｔｅｄ）であることを特定することと、
前記物理下りチャネルと前記ＣＯＲＥＳＥＴ０とがＱＣＬである場合、前記目標ＴＣＩ状態情報に基づいて前記物理下りチャネルを受信することとを含む、請求項１に記載のチャネル伝送方法。
【請求項３】
前記所定の条件は、
前記物理下りチャネルと前記ＣＯＲＥＳＥＴ０とがＱＣＬであることは予め定義されたことと、
前記物理下りチャネルに対応する少なくとも２つのＴＣＩ状態の設定情報が受信されており、且つ、前記少なくとも２つのＴＣＩ状態に対する活性化情報が受信されていないことと、のうちの少なくとも１つを含む、請求項１又は２に記載のチャネル伝送方法。
【請求項４】
前記の前記物理下りチャネルに対応する少なくとも２つのＴＣＩ状態の設定情報が受信されており、且つ、前記少なくとも２つのＴＣＩ状態に対する活性化情報が受信されていないことは、
前記物理下りチャネルのために最初に設定された少なくとも２つのＴＣＩ状態の設定情報が受信されており、且つ、前記少なくとも２つのＴＣＩ状態に対する活性化情報が受信されていないこと、
又は、
前記物理下りチャネルのために再設定された少なくとも２つのＴＣＩ状態の設定情報が受信されており、且つ、前記少なくとも２つのＴＣＩ状態に対する活性化情報が受信されていないこと、を含む、請求項３に記載のチャネル伝送方法。
【請求項５】
前記所定の条件は、
前記物理下りチャネルのために再設定された少なくとも２つのＴＣＩ状態の設定情報が受信されており、且つ、前記少なくとも２つのＴＣＩ状態に対する活性化情報が受信されていない場合、前回に活性化されたＴＣＩ状態に基づいて、物理下りチャネルを受信することをさらに含む、請求項４に記載のチャネル伝送方法。
【請求項６】
前記の識別値が０である制御リソースセットＣＯＲＥＳＥＴ０の目標ＴＣＩ状態情報を取得することは、
ＭＩＢ（Ｍａｓｔｅｒ  Ｓｙｓｔｅｍ  Ｉｎｆｏｒｍａｔｉｏｎ  Ｂｌｏｃｋ）以外のＲＲＣ（Ｒａｄｉｏ  Ｒｅｓｏｕｒｃｅ  Ｃｏｎｔｒｏｌ）シグナリングを伝送することで、前記ＣＯＲＥＳＥＴ０の前記目標ＴＣＩ状態情報を取得することを含み、ここで、前記ＲＲＣシグナリングは、前記ＣＯＲＥＳＥＴ０の識別値を示す第１パラメータ域と、前記ＣＯＲＥＳＥＴ０に対応するＴＣＩ状態を示す第２パラメータ域とを含む、請求項１に記載のチャネル伝送方法。
【請求項７】
前記ＲＲＣシグナリングは、前記ＣＯＲＥＳＥＴ０の他のパラメータを示すための他のパラメータ域をさらに含み、他のパラメータ域によって示されるパラメータは、前記ＭＩＢによって前記ＣＯＲＥＳＥＴ０に対する示されるパラメータと同じである、請求項６に記載のチャネル伝送方法。
【請求項８】
前記のＭＩＢ以外のＲＲＣシグナリングを伝送することで、前記ＣＯＲＥＳＥＴ０の前記目標ＴＣＩ状態情報を取得することは、
ＭＩＢ以外のＲＲＣシグナリングの伝送を検出することと、
前記第１パラメータ域と第２パラメータ域とに基づいて、前記ＣＯＲＥＳＥＴ０の前記目標ＴＣＩ状態情報を特定することと、
前記ＲＲＣシグナリングの前記他のパラメータ域を無視することと、を含む請求項７に記載のチャネル伝送方法。
【請求項９】
前記第２パラメータ域により示されたＴＣＩ状態は少なくとも２つである場合、前記ＣＯＲＥＳＥＴ０の前記目標ＴＣＩ状態情報を取得することは、
ＭＡＣ（Ｍｅｄｉｕｍ  Ａｃｃｅｓｓ  Ｃｏｎｔｒｏｌ）ＣＥ（Ｃｏｎｔｒｏｌ  Ｅｌｅｍｅｎｔ）を通じて、前記ＣＯＲＥＳＥＴ０のＴＣＩ状態を活性化するための活性化情報を受信することと、
前記活性化情報に基づいて、前記少なくとも２つのＴＣＩ状態から、前記目標ＴＣＩ状態情報を特定することとをさらに含む、請求項６に記載のチャネル伝送方法。
【請求項１０】
前記第２パラメータ域により示されたＴＣＩ状態の基準信号はＳＳＢ（Ｓｙｎｃｈｒｏｎｉｚａｔｉｏｎ  Ｓｉｇｎａｌ  ａｎｄ  ＰＢＣＨ  Ｂｌｏｃｋ）であり、ここで、異なるＴＣＩ状態に対応するＳＳＢのインデックス番号は異なる、請求項６に記載のチャネル伝送方法。
【請求項１１】
前記の識別値が０である制御リソースセットＣＯＲＥＳＥＴ０の目標ＴＣＩ状態情報を取得することは、
受信したＳＳＢに基づいて、前記ＳＳＢの受信品質を算出することと、
前記ＳＳＢの受信品質が、前記ＣＯＲＥＳＥＴ０に対応する目標ＳＳＢの受信品質よりも高い場合、前記ＳＳＢに対応するＣＯＲＥＳＥＴを新たなＣＯＲＥＳＥＴ０として特定することと、
前記新たなＣＯＲＥＳＥＴ０の前記目標ＴＣＩ状態情報を取得することとを含む、請求項１に記載のチャネル伝送方法。
【請求項１２】
前記ＳＳＢは、サービングセルのＳＳＢ又は目標セルのＳＳＢである、請求項１１に記載のチャネル伝送方法。
【請求項１３】
端末であって、
識別値が０である制御リソースセットＣＯＲＥＳＥＴ０の目標ＴＣＩ状態情報を取得することに用いられる第１取得モジュールと、
所定の条件が満たされると、物理下りチャネルを、前記目標ＴＣＩ状態情報に基づいて受信することに用いられる第１受信モジュールとを含み、ここで、前記物理下りチャネルは、ＰＤＣＣＨ及びＰＤＳＣＨのうちの少なくとも１つを含む、端末。
【請求項１４】
端末であって、プロセッサと、メモリと、前記メモリに記憶されている、前記プロセッサ上で実行可能なコンピュータープログラムとを含み、ここで、前記プロセッサが前記コンピュータープログラムを実行すると、請求項１〜１２のいずれか１項に記載のチャネル伝送方法が実現される、端末。
【請求項１５】
ネットワーク機器側に適用されるチャネル伝送方法であって、
識別値が０である制御リソースセットＣＯＲＥＳＥＴ０のために目標ＴＣＩ状態情報を設定することと、
所定の条件が満たされると、物理下りチャネルを、前記目標ＴＣＩ状態情報に基づいて送信することとを含み、ここで、前記物理下りチャネルは、ＰＤＣＣＨ及びＰＤＳＣＨのうちの少なくとも１つを含む、チャネル伝送方法。
【請求項１６】
前記の所定の条件が満たされると、物理下りチャネルを、前記目標ＴＣＩ状態情報に基づいて送信することは、
前記所定の条件が満たされる場合、前記物理下りチャネルと前記ＣＯＲＥＳＥＴ０とがＱＣＬ（ｑｕａｓｉ  ｃｏ−ｌｏｃａｔｅｄ）であることを特定することと、
前記物理下りチャネルと前記ＣＯＲＥＳＥＴ０とがＱＣＬである場合、前記目標ＴＣＩ状態情報に基づいて前記物理下りチャネルを送信することとを含む、請求項１５に記載のチャネル伝送方法。
【請求項１７】
前記所定の条件は、
前記物理下りチャネルと前記ＣＯＲＥＳＥＴ０とがＱＣＬであることは予め定義されたことと、
前記物理下りチャネルに対応する少なくとも２つのＴＣＩ状態の設定情報が送信されているが、前記少なくとも２つのＴＣＩ状態に対する活性化情報が送信されていないことと、のうちの少なくとも１つを含む、請求項１５又は１６に記載のチャネル伝送方法。
【請求項１８】
前記物理下りチャネルに対応する少なくとも２つのＴＣＩ状態の設定情報が送信されているが、前記少なくとも２つのＴＣＩ状態に対する活性化情報が送信されていないことは、
前記物理下りチャネルのために最初に設定された少なくとも２つのＴＣＩ状態の設定情報が送信されているが、前記少なくとも２つのＴＣＩ状態に対する活性化情報が送信されていないこと、
又は、
前記物理下りチャネルのために再設定された少なくとも２つのＴＣＩ状態の設定情報が送信されているが、前記少なくとも２つのＴＣＩ状態に対する活性化情報が送信されていないこと、を含む、請求項１７に記載のチャネル伝送方法。
【請求項１９】
前記所定の条件は、
前記物理下りチャネルのために再設定された少なくとも２つのＴＣＩ状態の設定情報が送信されているが、前記少なくとも２つのＴＣＩ状態に対する活性化情報が送信されていない場合、前回に活性化されたＴＣＩ状態に基づいて、物理下りチャネルを送信することをさらに含む、請求項１８に記載のチャネル伝送方法。
【請求項２０】
識別値が０である制御リソースセットＣＯＲＥＳＥＴ０のために目標ＴＣＩ状態情報を設定することは、
ＭＩＢ以外のＲＲＣ（Ｒａｄｉｏ  Ｒｅｓｏｕｒｃｅ  Ｃｏｎｔｒｏｌ）シグナリングを伝送することで、前記ＣＯＲＥＳＥＴ０のために前記目標ＴＣＩ状態情報を設定することを含み、ここで、前記ＲＲＣシグナリングは、前記ＣＯＲＥＳＥＴ０の識別値を示す第１パラメータ域と、前記ＣＯＲＥＳＥＴ０に対応するＴＣＩ状態を示す第２パラメータ域とを含む、請求項１５に記載のチャネル伝送方法。
【請求項２１】
前記ＲＲＣシグナリングは、前記ＣＯＲＥＳＥＴ０の他のパラメータを示すための他のパラメータ域をさらに含み、他のパラメータ域によって示されるパラメータは、前記ＭＩＢによって前記ＣＯＲＥＳＥＴ０に対する示されるパラメータと同じである、請求項２０に記載のチャネル伝送方法。
【請求項２２】
前記ＣＯＲＥＳＥＴ０のために前記目標ＴＣＩ状態情報を設定した後、
ＭＡＣ  ＣＥを通じて、端末に、前記ＣＯＲＥＳＥＴ０の目標ＴＣＩ状態情報を活性化するための活性化情報を送信することをさらに含む、請求項２０に記載のチャネル伝送方法。
【請求項２３】
前記第２パラメータ域により示されたＴＣＩ状態の基準信号はＳＳＢであり、ここで、異なるＴＣＩ状態に対応するＳＳＢのインデックス番号は異なる、請求項２０に記載のチャネル伝送方法。
【請求項２４】
ネットワーク機器であって、
識別値が０である制御リソースセットＣＯＲＥＳＥＴ０のために目標ＴＣＩ状態情報を設定することに用いられる設定モジュールと、
所定の条件が満たされると、物理下りチャネルを、前記目標ＴＣＩ状態情報に基づいて送信することに用いられる第１送信モジュールとを含み、ここで、前記物理下りチャネルは、ＰＤＣＣＨ及びＰＤＳＣＨのうちの少なくとも１つを含む、ネットワーク機器。
【請求項２５】
ネットワーク機器であって、プロセッサと、メモリと、前記メモリに記憶されている、前記プロセッサ上で実行可能なコンピュータープログラムとを含み、ここで、前記プロセッサが前記コンピュータープログラムを実行すると、請求項１５〜２３のいずれか１項に記載のチャネル伝送方法が実現される、ネットワーク機器。
【請求項２６】
プロセッサによって実行されると、請求項１〜１２のいずれか１項、又は請求項１５〜２３のいずれか１項に記載のチャネル伝送方法を実現するコンピュータープログラムを記憶しているコンピューター可読記憶媒体。
【発明の詳細な説明】
【技術分野】
【０００１】
本願は、２０１８年４月４日に中国に出願された中国特許出願番号２０１８１０３０２２０５．３の優先権を主張し、その内容全体が援用により本明細書に組み込まれる。
本開示は、通信技術分野に関し、特に、チャネル伝送方法、端末及びネットワーク機器に関する。
【背景技術】
【０００２】
移動通信システムでは、ＰＤＣＣＨ（Ｐｈｙｓｉｃａｌ  Ｄｏｗｎｌｉｎｋ  Ｃｏｎｔｒｏｌ  Ｃｈａｎｎｅｌ）については、端末は、ＰＤＣＣＨ共通検索スペース（ｃｏｍｍｏｎ  ｓｅａｒｃｈ  ｓｐａｃｅ）を受信するとともに、ネットワーク装置によって設定された各種パラメータを受信し、ここで、ＴＣＩ（Ｔｒａｎｓｍｉｓｓｉｏｎ  Ｃｏｎｆｉｇｕｒａｔｉｏｎ  ｉｎｄｉｃａｔｏｒ）状態（ｓｔａｔｅ）パラメータは、ＰＤＣＣＨの複数のＴＣＩ状態を含み、ネットワーク機器は、そのうちの１つのＴＣＩ状態をＭＡＣ（Ｍｅｄｉｕｍ  Ａｃｃｅｓｓ  Ｃｏｎｔｒｏｌ）ＣＥ（Ｃｏｎｔｒｏｌ  Ｅｌｅｍｅｎｔ）を介して活性化し得る前に、上記ＰＤＣＣＨのＤＭＲＳ（Ｄｅ−Ｍｏｄｕｌａｔｉｏｎ  Ｒｅｆｅｒｅｎｃｅ  Ｓｉｇｎａｌ）ポートと初期アクセス設定のＳＳＢ（Ｓｙｎｃｈｒｏｎｉｚａｔｉｏｎ  Ｓｉｇｎａｌ  ａｎｄ  ＰＢＣＨ  Ｂｌｏｃｋ）とがＱＣＬ（ｑｕａｓｉ  ｃｏ−ｌｏｃａｔｅｄ）であることを端末は想定する。したがって、ＰＤＳＣＨ（Ｐｈｙｓｉｃａｌ  Ｄｏｗｎｌｉｎｋ  Ｓｈａｒｅ  Ｃｈａｎｎｅｌ）については、端末が上位層により設定されたＴＣＩを受信して活性化情報を受信する前に、上記ＰＤＳＣＨのＤＭＲＳポートと初期アクセス設定のＳＳＢとがＱＣＬであることを端末は想定する。初期アクセス設定のＳＳＢのＴＣＩが予め設定され且つ固定されているため、ＰＤＣＣＨ又はＰＤＳＣＨの何らかのＴＣＩ状態が活性化する前に、ＰＤＣＣＨ又はＰＤＳＣＨのＤＭＲＳポートとＳＳＢとがＱＣＬであることを端末は認定し、よって、端末はネットワーク性能に応じた柔軟な動作ができず、システム性能の低下を招く可能性がある。
【発明の概要】
【発明が解決しようとする課題】
【０００３】
本開示は、ＰＤＣＣＨ又はＰＤＳＣＨのＤＭＲＳポートとＳＳＢとがＱＣＬであるため、端末がネットワーク性能に応じた柔軟に動作できないことに起因するシステム性能の低下の問題を解決するように、チャネル伝送方法、端末及びネットワーク機器を提供する。
【課題を解決するための手段】
【０００４】
第１態様では、本開示の実施例が提供する端末側に適用されるチャネル伝送方法は、
識別値が０である制御リソースセットＣＯＲＥＳＥＴ０の目標ＴＣＩ（Ｔｒａｎｓｍｉｓｓｉｏｎ  Ｃｏｎｆｉｇｕｒａｔｉｏｎ  ｉｎｄｉｃａｔｏｒ）状態情報を取得することと、
所定の条件が満たされると、物理下りチャネルを、目標ＴＣＩ状態情報に基づいて受信することとを含み、ここで、物理下りチャネルは、ＰＤＣＣＨ及びＰＤＳＣＨのうちの少なくとも１つを含む。
【０００５】
第２態様では、本開示の実施例が提供する端末は、
識別値が０である制御リソースセットＣＯＲＥＳＥＴ０の目標ＴＣＩ状態情報を取得することに用いられる第１取得モジュールと、
所定の条件が満たされると、物理下りチャネルを、目標ＴＣＩ状態情報に基づいて受信することに用いられる第１受信モジュールとを含み、ここで、物理下りチャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅ  Ｃｈａｎｎｅｌ）のうちの少なくとも１つを含む。
【０００６】
第３態様では、本開示の実施例が提供する端末は、プロセッサと、メモリと、メモリに記憶されている、プロセッサ上で実行可能なコンピュータープログラムとを含み、ここで、プロセッサがコンピュータープログラムを実行すると、上記のチャネル伝送方法が実現される。
【０００７】
第４態様では、本開示の実施例が提供するネットワーク機器に適用されるチャネル伝送方法は、
識別値が０である制御リソースセットＣＯＲＥＳＥＴ０のために目標ＴＣＩ状態情報を設定することと、
所定の条件が満たされると、物理下りチャネルを、目標ＴＣＩ状態情報に基づいて送信することとを含み、ここで、物理下りチャネルは、ＰＤＣＣＨ及びＰＤＳＣＨのうちの少なくとも１つを含む。
【０００８】
第５態様では、本開示の実施例が提供するネットワーク機器は、
識別値が０である制御リソースセットＣＯＲＥＳＥＴ０のために目標ＴＣＩ状態情報を設定することに用いられる設定モジュールと、
所定の条件が満たされると、物理下りチャネルを、目標ＴＣＩ状態情報に基づいて送信することに用いられる第１送信モジュールとを含み、ここで、物理下りチャネルは、ＰＤＣＣＨ及びＰＤＳＣＨのうちの少なくとも１つを含む。
【０００９】
第６態様では、本開示の実施例がさらに提供するネットワーク機器は、プロセッサと、メモリと、メモリに記憶されている、プロセッサ上で実行可能なコンピュータープログラムとを含み、ここで、プロセッサがコンピュータープログラムを実行すると、上記チャネル伝送方法が実現される。
【００１０】
第７態様では、本開示の実施例が、プロセッサによって実行されると、上記チャネル伝送方法を実現するコンピュータープログラムを記憶しているコンピューター可読記憶媒体を提供する。
【発明の効果】
【００１１】
本開示の実施例に係るネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【００１２】
本開示の実施例における技術手段をより明確に説明するために、以下に、本開示の実施例の説明に必要な図面を簡潔に説明し、明らかに、以下に説明する図面は、本開示に記載されている実施例の一部のみであり、当業者であれば、創造的な労働なし、これらの図面に基づいて他の図面を得ることができる。
【図面の簡単な説明】
【００１３】
【図１】本開示の実施例に係る端末側によるチャネル伝送方法のフローチャートである。
【図２】本開示の実施例に係る端末のモジュールの構成を示す概略図である。
【図３】本開示の実施例に係る端末のブロック図である。
【図４】本開示の実施例に係るネットワーク機器側によるチャネル伝送方法のフローチャートである。
【図５】本開示の実施例に係るネットワーク機器のモジュールの構成を示す概略図である。
【図６】本開示の実施例に係るネットワーク機器のブロック図である。
【発明を実施するための形態】
【００１４】
以下、本開示の例示的な実施例を、図面に関連してより詳しく説明する。本開示の例示的な実施例が図面に示されているが、本開示は様々な形態で実現され得、本明細書に記載されている実施例によって限定されるものではない。むしろ、本開示をより徹底的に理解され得、本開示の全範囲を当業者に伝えることができるように、これらの実施例は提供されることが理解されたい。
【００１５】
本願の明細書及び請求項に記載の用語「第１」、「第２」等は、特定の順序又は次序を記述するとは限らなく、類似の対象を区別するために使用される。なお、こうして使用されるデータは、ここで説明する本願の実施例が、例えば、ここで説明又は記載されたもの以外の順序で実施され得るように、適宜な状況で交換可能である。さらに、用語「含む」及び「有する」、ならびにそれらの任意の変形は、非排他的な包含をカバーすることを意図しており、例えば、一連のステップ又はユニットを含むプロセス、方法、システム、製品又は機器は、明確に記載されているステップ又はユニットに限定される必要はないが、明確に記載されていない他のステップ又はユニット、あるいは、これらのプロセス、方法、製品、又は機器に固有の他のステップ又はユニットを含んでもよい。
【００１６】
図１に示すように、本開示の実施例が提供する端末に適用されるチャネル伝送方法は、ステップ１１とステップ１２とを含む。
【００１７】
ステップ１１、識別値が０である制御リソースセットＣＯＲＥＳＥＴ０の目標ＴＣＩ（Ｔｒａｎｓｍｉｓｓｉｏｎ  Ｃｏｎｆｉｇｕｒａｔｉｏｎ  ｉｎｄｉｃａｔｏｒ）状態情報を取得する。
ここで、識別値はＣＯＲＥＳＥＴのＩＤ値か又はインデックス値であってよい。ＣＯＲＥＳＥＴ０は、ＳＳＢに付帯するＭＩＢ（Ｍａｓｔｅｒ  Ｓｙｓｔｅｍ  Ｉｎｆｏｒｍａｔｉｏｎ  Ｂｌｏｃｋ）情報とサービングセル共通設定（Ｓｅｒｖｉｎｇ  Ｃｅｌｌ  Ｃｏｎｆｉｇ  Ｃｏｍｍｏｎ）情報とに応じて設定されるものであり得、具体的には、ＭＩＢには、８ｂｉｔが含まれて、ＳＳＢとＣＯＲＥＳＥＴ０との間のサブキャリア間隔に基づいて、予め定義されたテーブルを１つ選択し、それらのテーブル各々は、１６個のインデックス値（０〜１５）を含み、その８ｂｉｔの４ｂｉｔｓによって０〜１５のうちの１つのインデックス値を選択することを示す。ここで、異なるインデックス値は、ＣＯＲＥＳＥＴの周波数領域長、ＳＳＢに対する周波数領域位置、及び時間領域長に対応し、即ち、この４ｂｉｔはまた、ＣＯＲＥＳＥＴの周波数領域長、ＳＳＢに対する周波数領域位置、及び時間領域長を示す。
【００１８】
さらに、上記４ｂｉｔｓで示すインデックス値に対応する多重化（ｍｕｌｔｉｐｌｅｘｉｎｇ）パラメータ、第１周波数範囲ＦＲ１（Ｆｒｅｑｕｅｎｃｙ  Ｒａｎｇｅ  １）、第２周波数範囲ＦＲ２（Ｆｒｅｑｕｅｎｃｙ  Ｒａｎｇｅ  ２）、サブキャリア間隔ＳＣＳ（Ｓｕｂ−Ｃａｒｒｉｅｒ  Ｓｐａｃｉｎｇ）、及びＣＯＲＥＳＥＴ０のサブキャリア間隔に基づいて、予め定義された別のテーブルを選択し、ここで、各テーブルには、１６個のインデックス値（０〜１５）を含んでよく、残りの４ｂｉｔｓによって１６個のインデックス値の１つを選択することで、ＣＯＲＥＳＥＴ時間領域の１つ目のシンボルの位置やその他の情報を特定する。
【００１９】
ステップ１２、所定の条件が満たされると、物理下りチャネルを、目標ＴＣＩ状態情報に基づいて受信する。
ここで、物理下りチャネルは、ＰＤＣＣＨ及びＰＤＳＣＨのうちの少なくとも１つを含む。ＰＤＣＣＨを例として、システムは４タイプのＰＤＣＣＨ検索スペース（Ｓｅａｒｃｈ  ｓｐａｃｅ）を定義している。
【００２０】
１、Ｔｙｐｅ０−ＰＤＣＣＨ共通検索スペースについては、このタイプの検索スペースはＲＭＳＩ（Ｒｅｍａｉｎｉｎｇ  Ｍｉｎｉｍｕｍ  Ｓｙｓｔｅｍ  Ｉｎｆｏｒｍａｔｉｏｎ）に対応するＰＤＣＣＨに対して定義されるものであり、該タイプの検索スペースで検出されたＰＤＣＣＨに搬送されるＤＣＩ（Ｄｏｗｎｌｉｎｋ  Ｃｏｎｔｒｏｌ  Ｉｎｆｏｒｍａｔｉｏｎ）フォーマット（ｆｏｒｍａｔ）は、Ｐｃｅｌｌ（Ｐｒｉｍａｒｙ  Ｃｅｌｌ）に対応するＳＩ−ＲＮＴＩ（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｔｙ）のＣＲＣ（Ｃｙｃｌｉｃ  Ｒｅｄｕｎｄａｎｃｙ  Ｃｈｅｃｋ）のクリープを付帯する。
２、Ｔｙｐｅ０Ａ−ＰＤＣＣＨ共通検索スペースについては、このタイプの検索スペースはＯＳＩ（Ｏｔｈｅｒ  Ｓｙｓｔｅｍ  Ｉｎｆｏｒｍａｔｉｏｎ）に対応するＰＤＣＣＨに対して定義されるものであり、このタイプの検索スペースで検出されたＰＤＣＣＨに搬送されるＤＣＩ  ｆｏｒｍａｔ  は、Ｐｃｅｌｌに対応するＳＩ−ＲＮＴＩのＣＲＣのクリープを付帯する。
３、Ｔｙｐｅ１−ＰＤＣＣＨ共通検索スペースについては、このタイプの検索スペースは一般なＰＤＣＣＨ（又は通常ＰＤＣＣＨ）に対して定義されるものであり、このタイプの検索スペースで検出されたＰＤＣＣＨに搬送されるＤＣＩ  ｆｏｒｍａｔは、Ｐｃｅｌｌに対応するＲＡ−ＲＮＴＩ（Ｒａｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｔｙ）、ＴＣ−ＲＮＴＩ（Ｔｅｍｐｏｒａｒｙ  Ｃｅｌｌ  Ｒａｄｉｏ  Ｎｅｔｗｏｒｋ  Ｔｅｍｐｏｒａｒｙ  Ｉｄｅｎｔｉｔｙ）又はＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ）のＣＲＣのクリープを付帯する。
４、Ｔｙｐｅ２−ＰＤＣＣＨ共通検索スペースについては、このタイプの検索スペースで検出されたＰＤＣＣＨに搬送されるＤＣＩ  ｆｏｒｍａｔは、Ｐｃｅｌｌに対応するＰ−ＲＮＴＩ（Ｐａｇｉｎｇ  Ｒａｄｉｏ  Ｎｅｔｗｏｒｋ  Ｔｅｍｐｏｒａｒｙ  Ｉｄｅｎｔｉｔｙ）のＣＲＣのクリープを付帯する。
【００２１】
なお、ＣＯＲＥＳＥＴ０のＴＣＩ状態情報に基づいて受信される物理下りチャネルにおけるＰＤＣＣＨは、Ｔｙｐｅ１−ＰＤＣＣＨ共通検索スペースに対応するＰＤＣＣＨである。
【００２２】
ここで、ステップ１２は、所定の条件が満たされると、物理下りチャネルとＣＯＲＥＳＥＴ０とがＱＣＬであることを特定し、物理下りチャネルとＣＯＲＥＳＥＴ０とがＱＣＬである場合、目標ＴＣＩ状態情報に基づいて、物理下りチャネルを受信することを含んでよい。所定の条件が満たされると、物理下りチャネルとＣＯＲＥＳＥＴ０とがＱＣＬであることを特定し、ここで、物理下りチャネルとＣＯＲＥＳＥＴ０とのＱＣＬ関係は、デフォルトのＱＣＬ関係とも呼ばれ、所定の条件は、デフォルトのＱＣＬ関係を満たす条件を意味し、該所定の条件は、予め定義されたものか、又は、ネットワーク機器によって設定されたものであってよい。
【００２３】
好ましく、上記所定の条件は以下の少なくとも１つの条件を含んでよい。
【００２４】
１、物理下りチャネルとＣＯＲＥＳＥＴ０とがＱＣＬであることは予め定義されたことであって、換言すれば、物理下りチャネルとＣＯＲＥＳＥＴ０とがＱＣＬ関係にあることは予め定義されたことであり、ここで、例えば、端末は、Ｔｙｐｅ１−ＰＤＣＣＨ共通検索スペースにおけるＰＤＣＣＨのＤＭＲＳポート及びそのＰＤＣＣＨが示すＰＤＳＣＨが、ＣＯＲＥＳＥＴ０とのＱＣＬ関係を想定してよい。
【００２５】
２、物理下りチャネルに対応する少なくとも２つのＴＣＩ状態の設定情報が受信されており、且つ、少なくとも２つのＴＣＩ状態に対する活性化情報が受信されていないこと。例えば、端末は上位層から１つより多く（即ち、２つ以上）のＴＣＩ  ｓｔａｔｅｓ情報を付帯する、ＣＯＲＥＳＥＲ設定を受信し、ＭＡＣ  ＣＥでＴＣＩ  ｓｔａｔｅの１つを活性化する前に、端末は、このＣＯＲＥＳＥＴ内のＰＤＣＣＨの受信プロセスには、ＰＤＣＣＨのＤＭＲＳポートとＣＯＲＥＳＥＴ０とがＱＣＬ関係にあることを想定し、又は、端末は、該ＣＯＲＥＳＥＴ内のＰＤＳＣＨの受信プロセスには、ＰＤＳＣＨのＤＭＲＳポートと、ＣＯＲＥＳＥＴ０とがＱＣＬ関係にあることを想定する。なお、ＰＤＣＣＨならば、ＰＤＣＣＨに対応するただ１つのＴＣＩ状態を示す設定情報を端末が受信すると、該ＴＣＩ状態に対する活性化情報を受信していなければ、デフォルトのＱＣＬ関係を採用しなく、該ＴＣＩ状態を採用して直接にＰＤＣＣＨの受信を行ってよい。ＰＤＳＣＨならば、ＰＤＳＣＨに対応するただ１つのＴＣＩ状態を示す設定情報を端末が受信すると、該ＴＣＩ状態に対する活性化情報を受信していなければ、デフォルトのＱＣＬ関係しか採用できず、ＣＯＲＥＳＥＴ０のＴＣＩ状態を通じて、ＰＤＣＣＨの受信を行う。
【００２６】
さらに、物理下りチャネルに対応する少なくとも２つのＴＣＩ状態の設定情報が受信されており、且つ、少なくとも２つのＴＣＩ状態に対する活性化情報が受信されていないことは、シナリオ１又はシナリオ２を含む。
【００２７】
シナリオ１については、物理下りチャネルのために最初に設定された少なくとも２つのＴＣＩ状態の設定情報が受信されており、且つ、少なくとも２つのＴＣＩ状態に対する活性化情報が受信されていないこと。ＰＤＳＣＨを例とすれば、端末は、最初に上位層のＴＣＩ  ｓｔａｔｅ設定情報を受信した後、かつ、ＭＡＣ  ＣＥ  により活性化された対応する複数のＴＣＩ  ｓｔａｔｅｓを受信する前に、サービングセル上のＰＤＳＣＨの１つのＤＭＲＳポート群内のアンテナポートと、ＣＯＲＥＳＥＴ０とがＱＣＬ関係にあることを想定し、ここで、これと類似している方法がＰＤＣＣＨでも採用できるので、贅言しない。なお、ＰＤＳＣＨならば、ＰＤＳＣＨに対応するただ１つのＴＣＩ状態を示す上位層のＴＣＩ  ｓｔａｔｅ設定情報を端末は最初に受信した後、該ＴＣＩ状態に対する活性化情報を受信していなければ、端末が、サービングセル上のＰＤＳＣＨの１つのＤＭＲＳポート群内のアンテナポートと、ＣＯＲＥＳＥＴ０とがＱＣＬ関係にあることを想定してよい。
【００２８】
シナリオ２については、物理下りチャネルのために再設定された少なくとも２つのＴＣＩ状態の設定情報が受信されており、且つ、少なくとも２つのＴＣＩ状態に対する活性化情報が受信されていないこと。ＰＤＳＣＨを例とすれば、端末は、上位層により再設定されたＴＣＩ  ｓｔａｔｅ設定情報を受信した後、かつ、ＭＡＣ  ＣＥにより活性化された対応する複数のＴＣＩ  ｓｔａｔｅｓを受信する前に、サービングセル上のＰＤＳＣＨの１つのＤＭＲＳポート群内のアンテナポートと、ＣＯＲＥＳＥＴ０とがＱＣＬ関係にあることを想定し、ここで、これと類似している方法がＰＤＣＣＨでも採用できるので、贅言しない。なお、ＰＤＳＣＨならば、ＰＤＳＣＨに対応するただ１つのＴＣＩ状態を示す、上位層により再設定されたＴＣＩ  ｓｔａｔｅ設定情報を端末は受信した後、該ＴＣＩ状態に対する活性化情報を受信していなければ、端末が、サービングセル上のＰＤＳＣＨの１つのＤＭＲＳポート群内のアンテナポートと、ＣＯＲＥＳＥＴ０とがＱＣＬ関係にあることを想定してもよい。
【００２９】
別の実施例では、端末が物理下りチャネルのために再設定された少なくとも２つのＴＣＩ状態の設定情報を受信しており、且つ、少なくとも２つのＴＣＩ状態に対する活性化情報を受信していない場合、端末が、前回に活性化されたＴＣＩ状態に基づいて、物理下りチャネルを受信する。ＰＤＳＣＨを例とすれば、端末は、上位層により再設定されたＴＣＩ  ｓｔａｔｅ設定情報を受信した後、かつ、ＭＡＣ  ＣＥにより活性化された対応する複数のＴＣＩ  ｓｔａｔｅｓを受信する前に、端末が、再設定する前の活性化された（発効した）ＴＣＩ  ｓｔａｔｅを直接使用できる。
【００３０】
以上、物理下りチャネルとＣＯＲＥＳＥＴ０とのデフォルトＱＣＬ関係を特定する方法について説明したが、以下では、ＣＯＲＥＳＥＴ０のＴＣＩ状態情報を特定する方法についてさらに説明する。選択可能に、ステップ１１は、方式１と方式２とを含みが、これらに限定されない。
【００３１】
方式１では、ＭＩＢ以外のＲＲＣシグナリングを伝送することで、ＣＯＲＥＳＥＴ０の目標ＴＣＩ状態情報を取得すること。ここで、ＲＲＣシグナリングは、ＣＯＲＥＳＥＴ０の識別値を示す第１パラメータ域と、ＣＯＲＥＳＥＴ０に対応するＴＣＩ状態を示す第２パラメータ域とを含む。
【００３２】
ここで、該方式は、ネットワーク機器が、初期アクセス後にＭＩＢ情報以外のＲＲＣシグナリングを通じて、ＣＯＲＥＳＥＴ０のＴＣＩ状態を設定し、端末に指示することをシステムは許可することである。具体的に、ネットワーク機器が、初期アクセス後にＭＩＢ情報以外のＲＲＣシグナリングを通じて、ＣＯＲＥＳＥＴ０のＴＣＩ状態情報を端末に指示することができる。好ましく、設定方法は、上位層のシグナリングパラメータＣＯＲＥＳＥＴフィールドのパラメータ規則を制限することで、ＣＯＲＥＳＥＴ０のＴＣＩ  ｓｔａｔｅｓ情報を設定することを含んでよい。
【００３３】
上記パラメータの制限規則は、規則１又は規則２であってよい。
【００３４】
規則１としては、上位層シグナリングパラメータ  Ｃｏｎｔｒｏｌ  Ｒｅｓｏｕｒｃｅ  Ｓｅｔ  フィールドは、ｃｏｎｔｒｏｌ  Ｒｅｓｏｕｒｃｅ  ＳｅｔＩｄの値が０である（即ち、第１  パラメータ域がＣＯＲＥＳＥＴの識別値が０であることを示す）場合、第２パラメータフィールド（例えば、ｔｃｉ−Ｓｔａｔｅｓ  ＰＤＣＣＨフィールド）のみが発効し、他のパラメータ域はスキップされたり、設定されなかったり、発効しなかったりする。
【００３５】
ここで、第２パラメータ域により示されたＴＣＩ状態の基準信号はＳＳＢであり、ここで、第２パラメータ域により示されたＴＣＩ状態は少なくとも２つであると、異なるＴＣＩ状態に対応するＳＳＢのインデックス（ｉｎｄｅｘ）番号は異なる。即ち、ｃｏｎｔｒｏｌ  Ｒｅｓｏｕｒｃｅ  ＳｅｔＩｄの値が０の場合、それが示すＴＣＩ状態における基準信号はＳＳＢのみであり、即ち、ＣＯＲＥＳＥＴ０はＳＳＢのみとＱＣＬ関係にあり、複数のＴＣＩ  ｓｔａｔｅの間に、ＳＳＢのｉｎｄｅｘのみが異なる。したがって、端末は、受信した活性化されたＴＣＩ  ｓｔａｔｅ内のＳＳＢのｉｎｄｅｘに基づいて、該ＳＳＢをモニターし、該ＳＳＢに対応するＣＯＲＥＳＥＴ０のＰＤＣＣＨ検索スペースをモニターして、ＰＤＣＣＨを受信する。
【００３６】
規則２としては、上位層シグナリングパラメータ  Ｃｏｎｔｒｏｌ  Ｒｅｓｏｕｒｃｅ  Ｓｅｔ  フィールドは、ｃｏｎｔｒｏｌ  Ｒｅｓｏｕｒｃｅ  ＳｅｔＩｄの値が０である場合、第２パラメータ域が発効したことに加えて、他のパラメータ域も発効できるが、他のパラメータ域が示す設定情報はＭＩＢの設定情報と同一であるという制約がある。即ち、ＲＲＣシグナリングは、ＣＯＲＥＳＥＴ０の他のパラメータを示すための他のパラメータ域をさらに含み、他のパラメータ域によって示される他のパラメータは、ＭＩＢによってＣＯＲＥＳＥＴ０に対する示されるパラメータと同じである。
【００３７】
上記規則について、特に規則１において、第２パラメータ域により示されたＴＣＩ状態は少なくとも２つである場合、端末がＭＩＢ以外のＲＲＣシグナリングを伝送することで、ＣＯＲＥＳＥＴ０の目標ＴＣＩ状態情報を取得することは、ＭＩＢ以外のＲＲＣシグナリングの伝送を検出することと、第１パラメータ域と第２パラメータ域とに基づいて、ＣＯＲＥＳＥＴ０の目標ＴＣＩ状態情報を特定することと、ＲＲＣシグナリングの他のパラメータ域を無視することと、を含む。
【００３８】
さらに、第２パラメータ域により示されたＴＣＩ状態は少なくとも２つである場合、端末がＭＩＢ以外のＲＲＣシグナリングを伝送することで、ＣＯＲＥＳＥＴ０の目標ＴＣＩ状態情報を取得することは、ＭＩＢ以外のＲＲＣシグナリングを伝送することで、ＣＯＲＥＳＥＴ０の少なくとも２つのＴＣＩ状態情報を受信して、ＭＡＣ  ＣＥを通じて、ＣＯＲＥＳＥＴ０のＴＣＩ状態を活性化するための活性化情報を受信することと、該活性化情報に基づいて、少なくとも２つのＴＣＩ状態から、目標ＴＣＩ状態情報を特定することとを含んでよい。即ち、ＴＣＩ−Ｓｔａｔｅｓ  ＰＤＣＣＨフィールドが複数の値を含む場合、ＴＣＩ  ｓｔａｔｅを、通常のＭＡＣ  ＣＥのＴＣＩ  ｓｔａｔｅ活性化規則を通じて、活性化する。
【００３９】
方式２では、受信したＳＳＢに基づいて、ＳＳＢの受信品質を算出し、ＳＳＢの受信品質が、ＣＯＲＥＳＥＴ０に対応する目標ＳＳＢの受信品質よりも高い場合、ＳＳＢに対応するＣＯＲＥＳＥＴを新たなＣＯＲＥＳＥＴ０として特定し、新たなＣＯＲＥＳＥＴ０の目標ＴＣＩ状態情報を取得する。
【００４０】
この方式で、システムは、端末が自主的にＳＳＢのインデックス値をスイッチし、対応するＣＯＲＥＳＥＴ０のＰＤＣＣＨ共通検索スペースをモニターすることを許可する。ここでのＳＳＢは、サービングセルのＳＳＢであってもよいし、セルスイッチング過程の目標セルのＳＳＢであってもよい。以下の例では、サービングセルのＳＳＢ又は目標セルのＳＳＢに関連して、方式２をさらに説明する。
【００４１】
サービングセルを例とすれば、システムは、サービングセルがＣＯＲＥＳＥＴ０のＴＣＩ状態情報を設定することを許可しなく、且つ、ＵＥ特定検索スペース（ＵＥ−ｓｐｅｃｉｆｉｃ  ｓｅａｒｃｈ  ｓｐａｃｅ）をＣＯＲＥＳＥＴ０に関連付けることを許可しなく、即ち、ＣＯＲＥＳＥＴ０には端末に具体的に伝える情報がなく、その情報の全てがブロードキャスト情報に限定されている場合がある。さらに、初期アクセス後に、システムは、受信したＳＳＢの信号品質に応じて、ＣＯＲＥＳＥＴ０と信号品質の高いＳＳＢとのＱＣＬ関係を自主的にスイッチすることを許可し、即ち、端末は受信したＳＳＢに応じてＳＳＢの信号品質を算出し、モニターされている現在のＳＳＢ信号のＲＳＲＰ（Ｒｅｆｅｒｅｎｃｅ  Ｓｉｇｎａｌ  Ｒｅｃｅｉｖｅｄ  Ｐｏｗｅｒ）がモニターされているＣＯＲＥＳＥＴ０に対応するＳＳＢ信号のＲＳＲＰよりも高い場合、端末は、より高い信号品質のＳＳＢに自主的にスイッチして、該ＳＳＢに対応するＣＯＲＥＳＥＴ０を傍受することができる。新たなＣＯＲＥＳＥＴ０にスイッチした後、新たなＣＯＲＥＳＥＴ０のＴＣＩ状態情報に基づいて、物理下りチャネルを受信する。
【００４２】
セルスイッチングを例とすれば、システムは、目標セルがＣＯＲＥＳＥＴ０のＴＣＩ状態情報を設定することを許可しなく、且つ、ＵＥ特定検索スペース（ＵＥ−ｓｐｅｃｉｆｉｃ  ｓｅａｒｃｈ  ｓｐａｃｅをＣＯＲＥＳＥＴ０に関連付けることを許可しない。セルスイッチングでは、端末が目標セルのＳＳＢセット内で、受信したＳＳＢ信号品質に応じて、ＣＯＲＥＳＥＴ０と信号品質の高いＳＳＢとのＱＣＬ関係を自主的にスイッチすることをシステムは許可し、即ち、目標セルのＳＳＢセット内で、受信したＳＳＢに基づいて、そのＳＳＢ信号品質を算出し、モニターされている現在のＳＳＢ信号のＲＳＲＰがモニターされているＣＯＲＥＳＥＴ０に対応するＳＳＢのＲＳＲＰよりも高い場合、端末は、信号品質の高いＳＳＢに自主的にスイッチし、該ＳＳＢに対応するＣＯＲＥＳＥＴ０を傍受する。新たなＣＯＲＥＳＥＴ０にスイッチした後、新たなＣＯＲＥＳＥＴ０のＴＣＩ状態情報に基づいて、物理下りチャネルを受信する。
【００４３】
本開示の実施例に係るチャネル伝送方法では、ネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【００４４】
以上の実施例は、異なるシナリオにおけるチャネル伝送方法を説明し、以下、図面に関連して、それに対応する端末をさらに説明する。
【００４５】
図２に示すように、本開示の実施例に係る端末２００は、識別値が０である制御リソースセットＣＯＲＥＳＥＴ０の目標ＴＣＩ状態情報を取得することと、所定の条件が満たされると、物理下りチャネルを、目標ＴＣＩ状態情報に基づいて受信し、ここで、物理下りチャネルは、ＰＤＣＣＨ及びＰＤＳＣＨのうちの少なくとも１つを含む受信することと、の方法の詳細を実現し、同じ効果も奏し得る。端末２００は、具体的に、
識別値が０である制御リソースセットＣＯＲＥＳＥＴ０の目標ＴＣＩ状態情報を取得することに用いられる第１取得モジュール２１０と、
所定の条件が満たされると、物理下りチャネルを、目標ＴＣＩ状態情報に基づいて受信することに用いられる第１受信モジュール２２０とを含み、ここで、物理下りチャネルは、ＰＤＣＣＨ及びＰＤＳＣＨのうちの少なくとも１つを含む。
【００４６】
ここで、第１受信モジュール２２０は、
所定の条件が満たされる場合、物理下りチャネルとＣＯＲＥＳＥＴ０とがＱＣＬであることを特定することに用いられる第１特定サブモジュールと、
物理下りチャネルとＣＯＲＥＳＥＴ０とがＱＣＬである場合、目標ＴＣＩ状態情報に基づいて物理下りチャネルを受信することに用いられる第１受信サブモジュールとを含む。
【００４７】
ここで、所定の条件は、
物理下りチャネルとＣＯＲＥＳＥＴ０とがＱＣＬであることは予め定義されたことと、
物理下りチャネルに対応する少なくとも２つのＴＣＩ状態の設定情報が受信されており、且つ、少なくとも２つのＴＣＩ状態に対する活性化情報が受信されていないこととの少なくとも１つを含む。
【００４８】
ここで、物理下りチャネルに対応する少なくとも２つのＴＣＩ状態の設定情報が受信されており、且つ、少なくとも２つのＴＣＩ状態に対する活性化情報が受信されていないことは、
物理下りチャネルのために最初に設定された少なくとも２つのＴＣＩ状態の設定情報が受信されており、且つ、少なくとも２つのＴＣＩ状態に対する活性化情報が受信されていないこと、
又は、
物理下りチャネルのために再設定された少なくとも２つのＴＣＩ状態の設定情報が受信されており、且つ、少なくとも２つのＴＣＩ状態に対する活性化情報が受信されていないことを含む。
【００４９】
ここで、端末２００は、
物理下りチャネルのために再設定された少なくとも２つのＴＣＩ状態の設定情報が受信されており、且つ、少なくとも２つのＴＣＩ状態に対する活性化情報が受信されていない場合、前回に活性化されたＴＣＩ状態に基づいて、物理下りチャネルを受信することに用いられる第２受信モジュールをさらに含む。
【００５０】
ここで、第１取得モジュール２１０は、
ＭＩＢ以外のＲＲＣシグナリングを伝送することで、ＣＯＲＥＳＥＴ０の目標ＴＣＩ状態情報を取得することに用いられる第１取得サブモジュールを含み、ここで、ＲＲＣシグナリングは、ＣＯＲＥＳＥＴ０の識別値を示す第１パラメータ域と、ＣＯＲＥＳＥＴ０に対応するＴＣＩ状態を示す第２パラメータ域とを含む。
ここで、ＲＲＣシグナリングは、ＣＯＲＥＳＥＴ０の他のパラメータを示すための他のパラメータ域をさらに含み、他のパラメータ域によって示される他のパラメータは、ＭＩＢによってＣＯＲＥＳＥＴ０に対する示されるパラメータと同じである。
【００５１】
ここで、第１取得サブモジュールは、
ＭＩＢ以外のＲＲＣシグナリングの伝送を検出することに用いられる検出ユニットと、
第１パラメータ域と第２パラメータ域とに基づいて、ＣＯＲＥＳＥＴ０の目標ＴＣＩ状態情報を特定することに用いられる特定ユニットと、
ＲＲＣシグナリングの他のパラメータ域を無視することに用いられる処理モジュールと、を含む。
【００５２】
ここで、第１取得モジュールは、
第２パラメータ域により示されたＴＣＩ状態は少なくとも２つである場合、ＭＡＣ  ＣＥを通じて、ＣＯＲＥＳＥＴ０のＴＣＩ状態を活性化するための活性化情報を受信することに用いられる第２受信サブモジュールと、
活性化情報に基づいて、少なくとも２つのＴＣＩ状態から、目標ＴＣＩ状態情報を特定することに用いられる第２特定サブモジュールとをさらに含み、
ここで、第２パラメータ域により示されたＴＣＩ状態の基準信号はＳＳＢであり、ここで、第２パラメータ域により示されたＴＣＩ状態は少なくとも２つであると、異なるＴＣＩ状態に対応するＳＳＢのインデックス番号は異なる。
【００５３】
ここで、第１取得モジュール２１０は、
受信したＳＳＢに基づいて、ＳＳＢの受信品質を算出することに用いられる算出サブモジュールと、
ＳＳＢの受信品質が、ＣＯＲＥＳＥＴ０に対応する目標ＳＳＢの受信品質よりも高い場合、ＳＳＢに対応するＣＯＲＥＳＥＴを新たなＣＯＲＥＳＥＴ０として特定することに用いられる第３特定サブモジュールと、
新たなＣＯＲＥＳＥＴ０の目標ＴＣＩ状態情報を取得することに用いられる第２取得サブモジュールとを含み、
ここで、ＳＳＢは、サービングセルのＳＳＢ又は目標セルのＳＳＢである。
【００５４】
なお、本開示の実施例に係るネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【００５５】
上記目的をより良く達成するために、本開示の各実施例を実現する端末のハードウェアの構成を示す概略図である図３に示すように、端末３０は、無線周波数ユニット３１、ネットワークモジュール３２、オーディオ出力ユニット３３、入力ユニット３４、センサ３５、表示ユニット３６、ユーザ入力ユニット３７、インタフェースユニット３８、メモリ３９、プロセッサ３１０、電源３１１等を有するが、これらに限定されるものではない。当業者は、図３に示される端末構成を端末の限定としないことと、端末が図示されるよりも多いか少ない要素、いくつかの要素を組み合わせたもの、又は異なる要素配置を含み得ることを理解するであろう。本開示の実施例において、端末は、携帯電話、タブレット、ノートパソコン、パームトップ、車載端末、ウェアラブル機器、及び歩数計などを含むが、これらに限定されるものではない。
【００５６】
ここで、無線周波数ユニット３１は、プロセッサ３１０の制御に従って、識別値が０である制御リソースセットＣＯＲＥＳＥＴ０の目標ＴＣＩ状態情報を取得するステップと、
所定の条件が満たされると、物理下りチャネルを、目標ＴＣＩ状態情報に基づいて受信するステップとを実行し、ここで、物理下りチャネルは、ＰＤＣＣＨ及びＰＤＳＣＨのうちの少なくとも１つを含む。
【００５７】
本開示の実施例に係るネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【００５８】
なお、本開示の実施例において、無線周波数ユニット３１は、情報の送受信又は通話中に信号の送受信に用いられ、具体的には、基地局からの下りデータを受信した後、プロセッサ３１０に処理させ、また、上りデータを基地局に送信する。通常、無線周波数ユニット３１は、アンテナ、少なくとも１つの増幅器、トランシーバ、カプラ、低雑音増幅器、デュプレクサなどを含むが、これらに限定されない。また、無線周波数ユニット３１は、無線通信システムを介して、ネットワーク及びほかの機器と通信し得る。
【００５９】
端末は、ネットワークモジュール３２を介して、電子メールの受信、Ｗｅｂブラウジング、ストリーミングメディアへのアクセスなどのワイヤレスブロードバンドインターネットアクセスをユーザに提供する。
【００６０】
オーディオ出力ユニット３３は、無線周波数ユニット３１又はネットワークモジュール３２によって受信された、又はメモリ３９に記憶されているオーディオデータをオーディオ信号に変換し、音声として出力することができる。また、オーディオ出力ユニット３３は、端末３０が実行する特定の機能に関連するオーディオ出力（例えば、呼出信号着信音、メッセージ着信音等）を提供することができる。オーディオ出力ユニット３３は、スピーカ、ブザー、及び受話器等を含む。
【００６１】
入力ユニット３４は、オーディオ信号又はビデオ信号を受信することに用いられる。入力ユニット３４は、ＧＰＵ（Ｇｒａｐｈｉｃｓ  Ｐｒｏｃｅｓｓｉｎｇ  Ｕｎｉｔ）３４１及びマイクフォン３４２とを含み得る。ＧＰＵ３４１は、ビデオキャプチャモード又は画像キャプチャモードでカメラなどの画像キャプチャ装置によって得られた静止画像又はビデオ画像のデータを処理する。処理された画像フレームは、表示ユニット３６に表示されることができる。ＧＰＵ３４１によって処理された画像フレームは、メモリ３９（又は他の記憶媒体）に記憶され得るか、無線周波数ユニット３１又はネットワークモジュール３２を介して送信され得る。マイクフォン３４２は、音声を受信し、そのような音声をオーディオデータに処理することができる。処理されたオーディオデータは、電話の通話モードの場合、無線周波数ユニット３１を経由してモバイル通信基地局に送信できる出力フォーマットに変換され得る。
【００６２】
端末３０は、光センサ、モーションセンサ、その他のセンサなどの少なくとも１つのセンサ３５を含む。具体的には、光センサは、周囲光センサと近接センサとを含み、ここで、周囲光センサは、周囲光の明暗に応じて表示パネル３６１の輝度を調整することができ、近接センサは、端末３０が耳辺に移動したときに、表示パネル３６１及び／又はバックライトをオフにすることができる。モーションセンサの一種として、加速度計センサは、すべての方向（通常は３軸）の加速度の大きさを検出し、静止時に重力の大きさと方向を検出し、端末の姿勢（例えば、縦横画面切り替え、関連するゲーム、磁力計姿勢キャリブレーション）の識別と、振動識別関連機能（歩数計、ノッキングなど）の認識に用いられ、センサ３５は、指紋センサ、圧力センサ、虹彩センサ、分子センサ、ジャイロスコープ、気圧計、湿度計、温度計、赤外線センサなどを含み得、ここでは贅言しない。
【００６３】
表示ユニット３６は、ユーザにより入力された情報、又はユーザに提供される情報を表示することに用いられる。表示ユニット３６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等からなる表示パネル３６１を含む。
【００６４】
ユーザ入力ユニット３７は、入力された数字又はキャラクター情報を受信し、端末のユーザセッティング及び機能制御に関連するキー信号入力を生成することに用いられ得る。具体的には、ユーザ入力ユニット３７は、タッチパネル３７１と他の入力機器３７２とを含む。タッチパネル３７１は、タッチスクリーンとも呼ばれ、ユーザによるタッチパネル３７１上又はその近傍でのタッチ操作（指、スタイラスなどの任意の適当な物体又はアクセサリを用いたユーザによるタッチパネル３７１上又はその近傍にある操作など）を収集する。タッチパネル３７１は、タッチ検出装置とタッチコントローラとの２つの部分を含み得、ここで、タッチ検出装置は、ユーザのタッチ方位を検出し、タッチ操作によってもたらされる信号を検出し、タッチコントローラに信号を送信し、タッチコントローラはタッチ検出装置からタッチ情報を受信し、それをコンタクト座標に変換し、プロセッサ３１０に送信し、プロセッサ３１０から送信されたコマンドを受信して実行する。また、タッチパネル３７１は、抵抗式、静電容量式、赤外線、表面弾性波など多くの種類で実現することができる。タッチパネル３７１に加えて、ユーザ入力ユニット３７は、他の入力機器３７２を含み得る。具体的には、他の入力機器３７２は、物理的なキーボード、機能キー（例えば、ボリュームコントロールキー、スイッチキーなど）、トラックボール、マウス、操作レバーを含むが、これらに限定されるものではなく、ここでは贅言しない。
【００６５】
さらに、タッチパネル３７１で、表示パネル３６１に重ねられ、タッチパネル３７１がその上又はその近くのタッチ操作を検出した後、プロセッサ３１０に送信してタッチイベントの種類を特定し、その後、プロセッサ３１０は、タッチイベントの種類に応じて表示パネル３６１に、それに対応するビジュアル出力を提供する。図３において、タッチパネル３７１と表示パネル３６１とは、端末の入出力機能を実現する２つの独立した部品として機能するが、特定の実施例では、タッチパネル３７１と表示パネル３６１を統合して端末の入出力機能を実現することができるが、ここでは特に限定されない。
【００６６】
インタフェースユニット３８は、外部装置と端末３０とが接続されているインタフェースである。外部装置は、例えば、有線又は無線ヘッドフォンポート、外部電源（又はバッテリ充電器）ポート、有線又は無線データポート、メモリカードポート、識別モジュールを備えている装置を接続するためのポート、オーディオ入出力（Ｉ／Ｏ）ポート、ビデオＩ／Ｏポート、ヘッドフォンポートなどを含む。インタフェースユニット３８は、外部装置からの入力（例えば、データ情報、電力等）を受信し、受信した入力を端末３０内の１つ以上の要素に送信したり、端末３０と外部装置との間でデータを送信したりすることに用いられ得る。
【００６７】
メモリ３９は、ソフトウェアプログラムと様々なデータを記憶することに用いられ得る。メモリ３９は、主に、オペレーティングシステム、少なくとも１つの機能に必要なアプリケーション（例えば、音声再生機能、画像再生機能など）を記憶しているプログラム記憶領域、及び携帯電話の使用に基づいて作成されたデータ（例えば、オーディオデータ、電話帳など）を記憶しているデータ記憶領域を含み得る。さらに、メモリ３９は、高速ランダムアクセスメモリを含み得るが、また、少なくとも１つのディスク記憶デバイス、フラッシュメモリデバイスなどの不揮発性メモリ、又は他の揮発性固体記憶デバイスを含み得る。
【００６８】
端末の制御センターであるプロセッサ３１０は、各種インタフェースや回線を利用して端末全体の各部を接続し、メモリ３９に記憶されているソフトウェアプログラム及び／又はモジュールを実行して、メモリ３９内に記憶されているデータを呼び出すことにより、端末の各種機能とデータ処理を実行し、端末全体の監視を行う。プロセッサ３１０は、１つ以上の処理ユニットを含み得、好ましくは、プロセッサ３１０は、アプリケーションプロセッサとモデムプロセッサとを統合し、ここで、アプリケーションプロセッサは、主にオペレーティングシステム、ユーザインタフェース及びアプリケーション等を処理し、モデムプロセッサは、主に無線通信を処理する。なお、上記変調復調プロセッサはプロセッサ３１０に統合されなくてもよい。
【００６９】
端末３０は、個々の部品に電力を供給する電源３１１（例えば、バッテリ）を含み得るが、好ましくは、電源３１１は、電源管理システムを介してプロセッサ３１０に論理的に接続され、電力管理システムを介して充電、放電、及び電力管理などの機能を管理することができる。
【００７０】
また、端末３０は、図示しない機能モジュールを含み、ここでは贅言しない。
【００７１】
好ましく、本開示の実施例は、さらに、プロセッサ３１０と、メモリ３９と、メモリ３９に記憶されている、前記プロセッサ３１０上で実行可能なコンピュータープログラムとを含む端末を提供し、ここで、プロセッサ３１０が該コンピュータープログラムを実行すると、上記のチャネル伝送方法の実施例の各プロセスが実現され、同じ技術効果を達成し得、重複を避けるために、ここでは贅言しない。ここで、端末は、無線端末であっても有線端末であってもよく、無線端末は、ユーザに音声及び／又は他のサービスデータの接続性を提供する機器、無線接続性機能を有するハンドヘルド機器、又は無線モデムに接続された他の処理機器であってもよい。無線端末は、ＲＡＮ（Ｒａｄｉｏ  Ａｃｃｅｓｓ  Ｎｅｔｗｏｒｋ）を介して１つ以上のコアネットワークと通信でき、無線端末は、携帯電話（又は「セルラー」電話と呼ばれる）やモバイル端末を備えたコンピューターなどのモバイル端末であり、例えば、ポータブル、ポケット、ハンドヘルド、コンピューター内蔵又は車載モバイル装置であり、ＲＡＮと言語及び／又はデータを交換する。無線端末は、たとえば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、モバイル局（Ｍｏｂｉｌｅ  Ｓｔａｔｉｏｎ）、モバイル（Ｍｏｂｉｌｅ）、リモート局（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（ＵＳＥＲ ＡＧＥＮＴ）、ユーザ機器（Ｕｓｅｒ  Ｄｅｖｉｃｅ又はＵｓｅｒ  Ｅｑｕｉｐｍｅｎｔ）とも呼ばれ、ここで限定されるものではない。
【００７２】
また、本開示の実施例は、プロセッサによって実行されると、上記チャネル伝送方法の実施例様々なプロセッサを実現するコンピュータープログラムを記憶しているコンピューター可読記憶媒体を提供し、かつ、同じ技術的効果を達成することができ、重複を避けるために、ここでは贅言しない。ここで、前記コンピューター可読記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ディスク又は光ディスク等のようなものである。
【００７３】
以上の実施例は、端末側から、本開示のチャネル伝送方法を説明し、以下、図面に関連して、ネットワーク機器によるチャネル伝送方法をさらに説明する。
【００７４】
図４に示すような本開示の実施例に係る、ネットワーク機器側に適用されるチャネル伝送方法は、ステップ４１とステップ４２とを含む。
【００７５】
ステップ４１、識別値が０である制御リソースセットＣＯＲＥＳＥＴ０のために目標ＴＣＩ状態情報を設定し、
ここで、ＣＯＲＥＳＥＴ０は、ＳＳＢに付帯されるＭＩＢ（Ｍａｓｔｅｒ  Ｓｙｓｔｅｍ  Ｉｎｆｏｒｍａｔｉｏｎ  Ｂｌｏｃｋ）情報とサービングセル共通設定（Ｓｅｒｖｉｎｇ  Ｃｅｌｌ  Ｃｏｎｆｉｇ  Ｃｏｍｍｏｎ）情報とに応じて設定されるものであり得、例えば、ＣＯＲＥＳＥＴ０の周波数領域長、ＳＳＢに対する周波数領域位置、時間領域長、時間領域の１つ目のシンボルの位置、及び、ほかの情報などが、ＭＩＢとサービングセル共通設定情報を通じて設定され得る。
【００７６】
ステップ４２、所定の条件が満たされると、物理下りチャネルを、目標ＴＣＩ状態情報に基づいて送信し、
ここで、物理下りチャネルは、ＰＤＣＣＨ及びＰＤＳＣＨのうちの少なくとも１つを含む。
【００７７】
好ましく、ステップ４２は、所定の条件が満たされると、物理下りチャネルとＣＯＲＥＳＥＴ０とがＱＣＬであることを特定し、物理下りチャネルとＣＯＲＥＳＥＴ０とがＱＣＬである場合、目標ＴＣＩ状態情報に基づいて、物理下りチャネルを送信することを含んでよい。所定の条件が満たされると、物理下りチャネルとＣＯＲＥＳＥＴ０とがＱＣＬであることを特定し、ここで、物理下りチャネルとＣＯＲＥＳＥＴ０とのＱＣＬ関係は、デフォルトのＱＣＬ関係とも呼ばれ、所定の条件は、デフォルトのＱＣＬ関係を満たす条件を指し、該所定の条件は、予め定義されたものか、又は、ネットワーク機器によって設定されたものであってよい。
【００７８】
好ましく、上記所定の条件は、
物理下りチャネルとＣＯＲＥＳＥＴ０とがＱＣＬであることは予め定義されたことであって、換言すれば、物理下りチャネルとＣＯＲＥＳＥＴ０とがＱＣＬ関係にあることは予め定義されたことと、
物理下りチャネルに対応する少なくとも２つのＴＣＩ状態の設定情報が送信されているが、少なくとも２つのＴＣＩ状態に対する活性化情報が送信されていないことと、のうちの少なくとも１つを含んでよいが、それに限定されない。例えば、ネットワーク機器は１つより多くのＴＣＩ  ｓｔａｔｅｓ情報を付帯する、上位層のＣＯＲＥＳＥＲ設定を通じて、ＭＡＣ  ＣＥでＴＣＩ  ｓｔａｔｅの１つを活性化する前に、ネットワーク機器は、このＣＯＲＥＳＥＴ内の物理下りチャネルの送信プロセスには、それに対応するＤＭＲＳポートとＣＯＲＥＳＥＴ０とがＱＣＬ関係にあることを想定する。なお、ＰＤＣＣＨについて、設定情報は、ＰＤＣＣＨに対応するただ１つのＴＣＩ状態を示す場合、ネットワーク機器が、デフォルトのＱＣＬ関係を採用しなく、該ＴＣＩ状態を採用して直接にＰＤＣＣＨの送信を行ってよい。ＰＤＳＣＨについて、設定情報は、ＰＤＳＣＨに対応するただ１つのＴＣＩ状態を示す場合、ネットワーク機器が、端末に活性化情報を送信する必要があり、該ＴＣＩ状態に対する活性化情報を送信していなければ、デフォルトのＱＣＬ関係しか採用できず、ＣＯＲＥＳＥＴ０のＴＣＩ状態を通じて、ＰＤＣＣＨの送信を行う。
【００７９】
さらに、物理下りチャネルに対応する少なくとも２つのＴＣＩ状態の設定情報が送信されているが、少なくとも２つのＴＣＩ状態に対する活性化情報が送信されていないことは、
物理下りチャネルのために最初に設定された少なくとも２つのＴＣＩ状態の設定情報が送信されているが、少なくとも２つのＴＣＩ状態に対する活性化情報が送信されていないことと（該シナリオは端末側の実施例のシナリオ１に対応するため、ここで贅言しない）、
又は、物理下りチャネルのために再設定された少なくとも２つのＴＣＩ状態の設定情報が送信されているが、少なくとも２つのＴＣＩ状態に対する活性化情報が送信されていないこと（該シナリオは端末側の実施例のシナリオ２に対応するため、ここで贅言しない）を含む。
【００８０】
別の実施例には、物理下りチャネルのために再設定された少なくとも２つのＴＣＩ状態の設定情報が送信されているが、少なくとも２つのＴＣＩ状態に対する活性化情報が送信されていない場合、ネットワーク機器は、前回に活性化されたＴＣＩ状態に基づいて、物理下りチャネルを送信する。ＰＤＳＣＨを例とすれば、ネットワーク機器は、上位層により再設定されたＴＣＩ  ｓｔａｔｅ設定情報を送信した後、かつ、ＭＡＣ  ＣＥにより活性化された対応する複数のＴＣＩ  ｓｔａｔｅｓを送信する前に、ネットワーク機器は、再設定する前の活性化された（発効した）ＴＣＩ  ｓｔａｔｅを直接使用できる。
【００８１】
ＣＯＲＥＳＥＴ０をＭＩＢとサービングセル共通設定で設定するほか、ＣＯＲＥＳＥＴ０の目標ＴＣＩ状況情報の設定は、ＭＩＢ以外のＲＲＣシグナリングを伝送することで、ＣＯＲＥＳＥＴ０のために目標ＴＣＩ状態情報を設定する方式で行われてよい。ここで、ＲＲＣシグナリングは、ＣＯＲＥＳＥＴ０の識別値を示す第１パラメータ域と、ＣＯＲＥＳＥＴ０に対応するＴＣＩ状態を示す第２パラメータ域とを含む。ここで、該方式では、ネットワーク機器が、初期アクセス後にＭＩＢ情報以外のＲＲＣシグナリングを通じて、ＣＯＲＥＳＥＴ０のＴＣＩ状態を設定し、端末に指示することをシステムは許可することである。具体的に、ネットワーク機器が、初期アクセス後にＭＩＢ情報以外のＲＲＣシグナリングを通じて、ＣＯＲＥＳＥＴ０のＴＣＩ状態情報を端末に指示することができる。好ましく、設定方法は、上位層のシグナリングパラメータＣＯＲＥＳＥＴフィールドのパラメータ規則を制限することで、ＣＯＲＥＳＥＴ０のＴＣＩ  ｓｔａｔｅｓ情報を設定することを含んでよい。ここで、ＲＲＣシグナリングは、ＣＯＲＥＳＥＴ０の他のパラメータを示すための他のパラメータ域をさらに含み、他のパラメータ域によって示される他のパラメータは、ＭＩＢによってＣＯＲＥＳＥＴ０に対する示されるパラメータと同じである。ここで、パラメータを制限するための規則は、端末側の実施例における説明と一致するため、ここで贅言しない。
【００８２】
ここで、第２パラメータ域により示されたＴＣＩ状態の基準信号はＳＳＢであり、ここで、第２パラメータ域により示されたＴＣＩ状態は少なくとも２つであると、異なるＴＣＩ状態に対応するＳＳＢのインデックス番号は異なる。即ち、ｃｏｎｔｒｏｌ  Ｒｅｓｏｕｒｃｅ  ＳｅｔＩｄの値が０の場合、それが示すＴＣＩ状態における基準信号はＳＳＢのみであり、即ち、ＣＯＲＥＳＥＴ０はＳＳＢのみとＱＣＬ関係にあり、複数のＴＣＩ  ｓｔａｔｅの間に、ＳＳＢのｉｎｄｅｘのみが異なる。
【００８３】
さらに、第２パラメータ域により示されたＴＣＩ状態は少なくとも２つである場合、ＣＯＲＥＳＥＴ０のために目標ＴＣＩ状態情報を設定するステップの後に、ＭＡＣ  ＣＥを通じて、ＣＯＲＥＳＥＴ０の目標ＴＣＩ状態情報を示すための活性化情報を端末に送信することをさらに含む。即ち、ＴＣＩ−Ｓｔａｔｅｓ情報は複数の値を含む場合、ＴＣＩ  ｓｔａｔｅを、通常のＭＡＣ  ＣＥのＴＣＩ  ｓｔａｔｅの規則を通じて、活性化する。
【００８４】
以上より、本開示の実施例に係るチャネル伝送方法では、ネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【００８５】
以上の実施例は、異なるシナリオにおけるチャネル伝送方法を別々に説明し、以下、本実施例は、図面に関連して、それに対応するネットワーク機器をさらに説明する。
【００８６】
図５に示すような本開示の実施例に係るネットワーク機器５００は、識別値が０である制御リソースセットＣＯＲＥＳＥＴ０のために目標ＴＣＩ状態情報を設定することと、所定の条件が満たされると、物理下りチャネルを、目標ＴＣＩ状態情報に基づいて送信することと、の方法の詳細を実現し、同じ効果も奏し得る。ここで、物理下りチャネルは、ＰＤＣＣＨ及びＰＤＳＣＨのうちの少なくとも１つを含む。端末５００は、具体的に、
識別値が０である制御リソースセットＣＯＲＥＳＥＴ０のために目標ＴＣＩ状態情報を設定することに用いられる設定モジュール５１０と、
所定の条件が満たされると、物理下りチャネルを、目標ＴＣＩ状態情報に基づいて送信することに用いられる第１送信モジュール５２０とを含み、ここで、物理下りチャネルは、ＰＤＣＣＨ及びＰＤＳＣＨのうちの少なくとも１つを含む。
【００８７】
ここで、第１送信モジュール５２０は、
所定の条件が満たされる場合、物理下りチャネルとＣＯＲＥＳＥＴ０とがＱＣＬであることを特定することに用いられる特定サブモジュールと、
物理下りチャネルとＣＯＲＥＳＥＴ０とがＱＣＬである場合、目標ＴＣＩ状態情報に基づいて物理下りチャネルを送信することに用いられる第１送信サブモジュールとを含む。
【００８８】
ここで、所定の条件は、
物理下りチャネルとＣＯＲＥＳＥＴ０とがＱＣＬであることは予め定義されたことと、
物理下りチャネルに対応する少なくとも２つのＴＣＩ状態の設定情報が送信されているが、少なくとも２つのＴＣＩ状態に対する活性化情報が送信されていないことと、のうちの少なくとも１つを含む。
【００８９】
ここで、物理下りチャネルに対応する少なくとも２つのＴＣＩ状態の設定情報が送信されているが、少なくとも２つのＴＣＩ状態に対する活性化情報が送信されていないことは、
物理下りチャネルのために最初に設定された少なくとも２つのＴＣＩ状態の設定情報が送信されているが、少なくとも２つのＴＣＩ状態に対する活性化情報が送信されていないこと、
又は、
物理下りチャネルのために再設定された少なくとも２つのＴＣＩ状態の設定情報が送信されているが、少なくとも２つのＴＣＩ状態に対する活性化情報が送信されていないことを含む。
ここで、ネットワーク機器５００は、
物理下りチャネルのために再設定された少なくとも２つのＴＣＩ状態の設定情報が送信されているが、少なくとも２つのＴＣＩ状態に対する活性化情報が送信されていない場合、前回に活性化されたＴＣＩ状態に基づいて、物理下りチャネルを送信することに用いられる第２送信モジュールをさらに含む。
【００９０】
ここで、設定モジュール５１０は、
ＭＩＢ以外のＲＲＣシグナリングを伝送することで、ＣＯＲＥＳＥＴ０のために目標ＴＣＩ状態情報を設定することに用いられる第１設定サブモジュールを含み、ここで、ＲＲＣシグナリングは、ＣＯＲＥＳＥＴ０の識別値を示す第１パラメータ域と、ＣＯＲＥＳＥＴ０に対応するＴＣＩ状態を示す第２パラメータ域とを含み、
ここで、ＲＲＣシグナリングは、ＣＯＲＥＳＥＴ０の他のパラメータを示すための他のパラメータ域をさらに含み、他のパラメータ域によって示される他のパラメータは、ＭＩＢによってＣＯＲＥＳＥＴ０に対する示されるパラメータと同じである。
【００９１】
ここで、ネットワーク機器５００は、
ＭＡＣ  ＣＥを通じて、端末に、ＣＯＲＥＳＥＴ０の目標ＴＣＩ状態情報を指示するための活性化情報を送信することに用いられる第３送信モジュールをさらに含み、
ここで、第２パラメータ域により示されたＴＣＩ状態の基準信号はＳＳＢであり、ここで、第２パラメータ域により示されたＴＣＩ状態は少なくとも２つであると、異なるＴＣＩ状態に対応するＳＳＢのインデックス番号は異なる。
【００９２】
なお、上記のネットワーク機器及び端末の個々のモジュールの分割は、論理的な機能的な分割に過ぎず、実際の実施の際に、全体又は部分的に単一の物理的実体に統合されてもよいし、物理的に分離されてもよいことが理解されるべきである。そして、これらのモジュールは、すべて処理要素によって呼び出されるソフトウェアの形態で実現することができ、又は、それらのすべてがハードウェアの形態で実現することができ、又は、それらの一部が処理要素によって呼び出されるソフトウェアの形態で実現することができ、また、それらの一部がハードウェアの形態で実現することができる。例えば、特定モジュールは、別個に設けられた処理要素であってもよく、あるいは、上記装置の１つチップに統合されて実現されてもよく、さらに、上記装置のある１つの処理要素によって呼び出されて上記特定モジュールの機能を実行するプログラムコードの形態で上記装置のメモリに記憶されていてもよい。他のモジュールの実現はそれと同様である。さらに、これらのモジュールは、全体又は一部が統合されていてもよいし、独立して実現されてもよい。本明細書に記載の処理素子は、信号処理能力を有する集積回路であってもよい。実現する際に上記の方法の各ステップ又は上記の各モジュールは、プロセッサ要素内のハードウェアの集積論理回路又はソフトウェア形式の命令によって行うことができる。
【００９３】
例えば、これらのモジュールは、上記の方法を実行するように設定された１つ以上の集積回路、例えば、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又は、１つ以上のＤＳＰ（ｄｉｇｉｔａｌ  ｓｉｇｎａｌ  ｐｒｏｃｅｓｓｏｒ）、又は、１つ以上のＦＰＧＡ（Ｆｉｅｌｄ  Ｐｒｏｇｒａｍｍａｂｌｅ  Ｇａｔｅ  Ａｒｒａｙ）であり得る。さらに、上記のモジュールのある１つが、処理要素によるプログラムコードの呼び出しを通じて、実現されると、該処理要素は、ＣＰＵ（Ｃｅｎｔｒａｌ  Ｐｒｏｃｅｓｓｉｎｇ  Ｕｎｉｔ）又はプログラムコードを呼び出すことができるプロセッサなどの汎用プロセッサであってよい。さらに、これらのモジュールが、統合されて、ＳＯＣ（ｓｙｓｔｅｍ−ｏｎ−ａ−ｃｈｉｐ）として実現され得る。
【００９４】
なお、本開示の実施例に係るネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【００９５】
上記目的をより良く達成するために、本開示の実施例がさらに提供するネットワーク機器は、プロセッサと、メモリと、メモリに記憶されている、プロセッサ上で実行可能なコンピュータープログラムとを含み、ここで、プロセッサがコンピュータープログラムを実行すると、上記チャネル伝送方法のステップが実現される。本発明の実施例は、さらに、プロセッサによって実行されると、上記チャネル伝送方法のステップを実現するコンピュータープログラムを記憶しているコンピューター可読記憶媒体を提供する。
【００９６】
具体的に、本開示の実施例は、ネットワーク機器をさらに提供し、図６に示すように、該ネットワーク機器６００は、アンテナ６１、無線周波数装置６２、ベースバンド装置６３を含み、ここで、アンテナ６１は無線周波数装置６２に接続する。上り方向には、無線周波数装置６２がアンテナ６１を介して情報を受信し、受信した情報をベースバンド装置６３に送信して処理する。下り方向には、ベースバンド装置６３は、送信すべき情報を処理し、無線周波数装置６２に送信し、無線周波数装置６２は、受信した情報を処理してから、アンテナ６１を介して送信する。
【００９７】
上記周波数帯域処理装置は、プロセッサ６４とメモリ６５とを含むベースバンド装置６３に位置してもよく、上記実施例のネットワーク機器で実行される方法は、ベースバンド装置６３で実行されてもよい。
【００９８】
ベースバンド装置６３は、例えば、図６に示すように、複数のチップを有する少なくとも１つのベースバンドボードを含んでもよく、そのチップの１つは、例えばメモリ６５に接続されるプロセッサ６４であり、メモリ６５内のプログラムを呼び出して上記方法実施例に示すネットワーク機器の動作を実行する。
【００９９】
また、該ベースバンド装置６３は、ＣＰＲＩ（ｃｏｍｍｏｎ  ｐｕｂｌｉｃ  ｒａｄｉｏ  ｉｎｔｅｒｆａｃｅ）などの、無線周波数装置６２と情報をやりとりするためのネットワークインターフェース６６を含んでもよい。
【０１００】
ここでのプロセッサは、単一のプロセッサ、又は複数の処理要素の総称であり得、例えば、該プロセッサは、ＣＰＵ、又はＡＳＩＣ、又は上記のネットワーク機器によって実行される方法を実行するために設定される１つ以上の集積回路、例えば、１つ以上のＤＳＰ、又は、１つ以上のＦＰＧＡなどであってよい。メモリ要素は、単一のメモリであってもよいし、複数のメモリ要素の総称であってもよい。
【０１０１】
メモリ６５は、揮発性メモリ又は不揮発性メモリであってもよく、又は揮発性メモリ及び不揮発性メモリの両方を含んでもよい。ここで、不揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰＲＯＭ）、又はフラッシュメモリであってもよい。揮発性メモリは、外部キャッシュとして使用されるＲＡＭ（Ｒａｎｄｏｍ  Ａｃｃｅｓｓ  Ｍｅｍｏｒｙ）であってもよい。ＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）及びＤＲＲＡＭ（Ｄｉｒｅｃｔ  Ｒａｍｂｕｓ  ＲＡＭ）など、多くの形態のＲＡＭが利用可能であり、それらの形態のＲＡＭが例のみとして、制限的に説明したものではない。本願に説明されたメモリ６５は、これら及び任意の他の好適なタイプのメモリを含むが、これらに限定されない。
【０１０２】
具体的に、本開示の実施例によるネットワーク機器は、メモリ６５に記憶されている、プロセッサ６４上で実行可能なコンピュータープログラムをさらに含み、ここで、プロセッサ６４は、メモリ６５内のコンピュータープログラムを呼び出して、図５に示す各モジュールによって実行される方法を実行する。
【０１０３】
具体的に、コンピュータープログラムが、プロセッサ６４に呼び出されると、識別値が０である制御リソースセットＣＯＲＥＳＥＴ０のために目標ＴＣＩ状態情報を設定することと、
所定の条件が満たされると、物理下りチャネルを、目標ＴＣＩ状態情報に基づいて送信することとを実行する。ここで、物理下りチャネルは、ＰＤＣＣＨ及びＰＤＳＣＨのうちの少なくとも１つを含む。
【０１０４】
具体的に、コンピュータープログラムが、プロセッサ６４に呼び出されると、所定の条件が満たされる場合、物理下りチャネルとＣＯＲＥＳＥＴ０とがＱＣＬであることを特定することと、
物理下りチャネルとＣＯＲＥＳＥＴ０とがＱＣＬである場合、目標ＴＣＩ状態情報に基づいて物理下りチャネルを送信することとを実行する。
ここで、所定の条件は、
物理下りチャネルとＣＯＲＥＳＥＴ０とがＱＣＬであることは予め定義されたことと、
物理下りチャネルに対応する少なくとも２つのＴＣＩ状態の設定情報が送信されているが、少なくとも２つのＴＣＩ状態に対する活性化情報が送信されていないことと、のうちの少なくとも１つを含む。
【０１０５】
ここで、物理下りチャネルに対応する少なくとも２つのＴＣＩ状態の設定情報が送信されているが、少なくとも２つのＴＣＩ状態に対する活性化情報が送信されていないことは、
物理下りチャネルのために最初に設定された少なくとも２つのＴＣＩ状態の設定情報が送信されているが、少なくとも２つのＴＣＩ状態に対する活性化情報が送信されていないこと、
又は、
物理下りチャネルのために再設定された少なくとも２つのＴＣＩ状態の設定情報が送信されているが、少なくとも２つのＴＣＩ状態に対する活性化情報が送信されていないことを含む。
【０１０６】
具体的に、コンピュータープログラムが、プロセッサ６４に呼び出されると、物理下りチャネルのために再設定された少なくとも２つのＴＣＩ状態の設定情報が送信されているが、少なくとも２つのＴＣＩ状態に対する活性化情報が送信されていない場合、前回に活性化されたＴＣＩ状態に基づいて、物理下りチャネルを送信することを実行する。
【０１０７】
具体的に、コンピュータープログラムが、プロセッサ６４に呼び出されると、ＭＩＢ以外のＲＲＣシグナリングを伝送することで、ＣＯＲＥＳＥＴ０のために目標ＴＣＩ状態情報を設定することを実行し、ここで、ＲＲＣシグナリングは、ＣＯＲＥＳＥＴ０の識別値を示す第１パラメータ域と、ＣＯＲＥＳＥＴ０に対応するＴＣＩ状態を示す第２パラメータ域とを含む。
ここで、ＲＲＣシグナリングは、ＣＯＲＥＳＥＴ０の他のパラメータを示すための他のパラメータ域をさらに含み、他のパラメータ域によって示される他のパラメータは、ＭＩＢによってＣＯＲＥＳＥＴ０に対する示されるパラメータと同じである。
【０１０８】
具体的に、コンピュータープログラムが、プロセッサ６４に呼び出されると、ＭＡＣ  ＣＥを通じて、端末に、ＣＯＲＥＳＥＴ０の目標ＴＣＩ状態情報を指示するための活性化情報を送信することを実行する。
ここで、第２パラメータ域により示されたＴＣＩ状態の基準信号はＳＳＢであり、ここで、第２パラメータ域により示されたＴＣＩ状態は少なくとも２つであると、異なるＴＣＩ状態に対応するＳＳＢのインデックス番号は異なる。
【０１０９】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）におけるＢＴＳ（Ｂａｓｅ  Ｔｒａｎｓｃｅｉｖｅｒ  Ｓｔａｔｉｏｎ）だったり、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ＮｏｄｅＢ）だったり、ＬＴＥにおけるｅＮＢ又はｅＮｏｄｅＢ（Ｅｖｏｌｕｔｉｏｎａｌ  ＮｏｄｅＢ）だったり、中継ステーション又はアクセスポイントだったり、将来の５Ｇネットワーク内の基地局などだったりすればよく、ここで限定されたものではない。
【０１１０】
本開示の実施例に係るネットワーク機器と端末は、所定の条件が満たされると、ＣＯＲＥＳＥＴ０のＴＣＩ状態情報に基づいて物理下りチャネルを送信し、物理下りチャネル伝送の柔軟性を向上させ、システム性能を向上させることができる。
【０１１１】
当技術分野の通常の当業者であれば、本明細書に開示された実施例と関連して記載された各実施例のユニット及びアルゴリズムステップは、電子ハードウェア、又はコンピューターソフトウェアと電子ハードウェアとの組み合わせで実現することができることを理解すべきである。これらの機能がハードウェアで実行されるかソフトウェアで実行されるかは、技術的なソリューションの特定のアプリケーションと設計上の制約に依存する。当業者は、記載された機能を実現するために、各特定のアプリケーションに対して異なる方法を使用してもよいが、そのような実現を、本開示の範囲を超えることと見なすものではない。
【０１１２】
当業者が明らかに分かるように、説明の便宜上及び簡略化のために、上述のシステム、装置及びユニットの特定の動作プロセスについては、前記方法の実施例における対応するプロセスを参照することができ、ここで贅言しない。
【０１１３】
なお、本願によって提供される実施例では、開示された装置及び方法が他の方式で実現され得ることが理解されたい。例えば、上記の装置の実施例は、単に例示的なものであり、例えば、論理的な機能的な分割に過ぎないユニットの分割は、実際に実現される際に、別の分割方式を有してもよく、例えば、複数のユニット又はコンポーネントが結合されてもよく、又は別のシステムに統合されてもよく、又はいくつかの特徴が無視されてもよく、又は実行されなくてもよい。また、表示又は議論されている相互結合又は直接結合又は通信接続は、いくつかのインタフェース、装置又はユニットを介する間接結合又は通信接続であり、電気的、機械的、又は他の形態であり得る。
【０１１４】
分離部品として説明されるユニットは、物理的に分離したものか、又は物理的に分離しないものであってよく、ユニットとして表示される部品は、物理的ユニットか、又は物理的ユニットでないものであってよく、即ち、分離部品は、１つの場所に位置し得るか、又は複数のネットワークユニットに分散され得る。実際のニーズに応じて、これらのユニットの一部又は全部を選択することで、本実施例のソリューションの目的を達成する。
【０１１５】
また、本開示の各実施例における各機能ユニットは、１つの処理ユニットに統合してもよいし、個々の単位として物理的に独立して存在してもよいし、２つ以上のユニットを１つのユニットに統合してもよい。
【０１１６】
前記機能は、ソフトウェア機能ユニットの形態で実現され、独立した製品として販売又は使用される場合、コンピューター可読記憶媒体に記憶され得る。この理解に基づいて、本開示の技術ソリューションは、本質的に、又は関連技術に寄与する部分、又は、該技術ソリューションの一部は、コンピューターソフトウェア製品の形で具体化することができ、コンピューターソフトウェア製品は、記憶媒体に記憶され、コンピューター機器（パソコン、サーバー、又はネットワーク機器などであってもよい）に、この開示の各実施例で説明した方法のすべて又は一部のステップを実行させるために用いられるいくつかの命令を含む。上記の記憶媒体は、ＵＳＢメモリ、モバイルハードドライブ、ＲＯＭ、ＲＡＭ、磁気ディスク、又は光ディスクなど、プログラムコードを記憶できるさまざまな媒体を含む。
【０１１７】
さらに、本開示の装置及び方法において、各部品又は各ステップは、分解及び／又は再結合することができることが明らかである。これらの分解及び／又は再結合を、本開示の等価ソリューションとみなすべきである。また、上記一連の処理を実行するステップは、当然ながら記載している順序で時系列的に実行されてもよいが、必ずしも時系列的に実行される必要はなく、何らかのステップは並列に実行されてもよいし、互いに独立して実行されてもよい。本開示の方法及び装置のステップ又は部品のすべて又は任意のものが、任意のコンピューティング装置（プロセッサ、記憶媒体などを含む）又はコンピューティング装置のネットワークにおいて、ハードウェア、ファームウェア、ソフトウェア、又はそれらの組み合わせで実現され得ることが、当業者にとっては自明であり、それが、本開示の説明を読んだときに、基本的なプログラミングスキルを適用することによって行うことができるものである。
【０１１８】
したがって、本開示の目的は、任意のコンピューティング装置上でプログラム又はプログラムのセットを実行することによっても達成され得る。前記コンピューティング装置は、周知の汎用装置であってもよい。したがって、本開示の目的は、単に、前記方法又は装置を実現するプログラムコードを含むプログラム製品を提供することによっても達成され得る。即ち、このようなプログラム製品も本開示を構成し、このようなプログラム製品が記憶されている記憶媒体も本開示を構成する。明らかに、記憶媒体は、任意の周知の記憶媒体であってもよいし、今後開発される任意の記憶媒体であってもよい。さらに、本開示の装置及び方法において、各部品又は各ステップは、分解及び／又は再結合することができることが明らかである。これらの分解及び／又は再結合を、本開示の等価ソリューションとみなすべきである。また、上記一連の処理を実行するステップは、当然ながら記載している順序で時系列的に実行されてもよいが、必ずしも時系列的に実行される必要はない。何らかのステップは、並行して、又は互いに独立して実行されてもよい。
【０１１９】
本開示の好ましい実施例について上述したが、当業者であれば、本開示の原理から逸脱することなく、本開示の保護範囲とみなされるべきいくつかの改良及び修飾を行うことができる。
【符号の説明】
【０１２０】
２００  端末
２１０  第１取得モジュール
２２０  第１受信モジュール
３０  端末
３１  無線周波数ユニット
３２  ネットワークモジュール
３３  オーディオ出力ユニット
３４  入力ユニット
３５  センサ
３６  表示ユニット
３７  ユーザ入力ユニット
３８  インタフェースユニット
３９  メモリ
３１０  プロセッサ
３１１  電源
３４２  マイクフォン
３６１  表示パネル
３７１  タッチパネル
３７２  入力機器
５００  ネットワーク機器
５１０  設定モジュール
５２０  第１送信モジュール
６００  ネットワーク機器
６１  アンテナ
６２  無線周波数装置
６３  ベースバンド装置
６４  プロセッサ
６５  メモリ
６６  ネットワークインターフェース
【図１】
2021520129.tif 000003
【図２】
2021520129.tif 000004
【図３】
2021520129.tif 000005
【図４】
2021520129.tif 000006
【図５】
2021520129.tif 000007
【図６】
2021520129.tif 000008
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
端末側に適用されるチャネル伝送方法であって、
識別値が０である制御リソースセットＣＯＲＥＳＥＴ０の目標ＴＣＩ（Ｔｒａｎｓｍｉｓｓｉｏｎ  Ｃｏｎｆｉｇｕｒａｔｉｏｎ  ｉｎｄｉｃａｔｏｒ）（１１）状態情報を取得することと、
所定の条件が満たされると、物理下りチャネル（１２）を、前記目標ＴＣＩ状態情報に基づいて受信することとを含み、ここで、前記物理下りチャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅ  Ｃｈａｎｎｅｌ）のうちの少なくとも１つを含むことを特徴とする、チャネル伝送方法。
【請求項２】
前記の所定の条件が満たされると、物理下りチャネルを、前記目標ＴＣＩ状態情報に基づいて受信することは、
前記所定の条件が満たされる場合、前記物理下りチャネルと前記ＣＯＲＥＳＥＴ０とがＱＣＬ（ｑｕａｓｉ  ｃｏ−ｌｏｃａｔｅｄ）であることを特定することと、
前記物理下りチャネルと前記ＣＯＲＥＳＥＴ０とがＱＣＬである場合、前記目標ＴＣＩ状態情報に基づいて前記物理下りチャネルを受信することとを含む、請求項１に記載のチャネル伝送方法。
【請求項３】
前記所定の条件は、
前記物理下りチャネルと前記ＣＯＲＥＳＥＴ０とがＱＣＬであることは予め定義されたことと、
前記物理下りチャネルに対応する少なくとも２つのＴＣＩ状態の設定情報が受信されており、且つ、前記少なくとも２つのＴＣＩ状態に対する活性化情報が受信されていないことと、のうちの少なくとも１つを含む、請求項１又は２に記載のチャネル伝送方法。
【請求項４】
前記の前記物理下りチャネルに対応する少なくとも２つのＴＣＩ状態の設定情報が受信されており、且つ、前記少なくとも２つのＴＣＩ状態に対する活性化情報が受信されていないことは、
前記物理下りチャネルのために最初に設定された少なくとも２つのＴＣＩ状態の設定情報が受信されており、且つ、前記少なくとも２つのＴＣＩ状態に対する活性化情報が受信されていないこと、
又は、
前記物理下りチャネルのために再設定された少なくとも２つのＴＣＩ状態の設定情報が受信されており、且つ、前記少なくとも２つのＴＣＩ状態に対する活性化情報が受信されていないこと、を含む、請求項３に記載のチャネル伝送方法。
【請求項５】
前記所定の条件は、
前記物理下りチャネルのために再設定された少なくとも２つのＴＣＩ状態の設定情報が受信されており、且つ、前記少なくとも２つのＴＣＩ状態に対する活性化情報が受信されていない場合、前回に活性化されたＴＣＩ状態に基づいて、物理下りチャネルを受信することをさらに含む、請求項４に記載のチャネル伝送方法。
【請求項６】
前記の識別値が０である制御リソースセットＣＯＲＥＳＥＴ０の目標ＴＣＩ状態情報を取得することは、
ＭＩＢ（Ｍａｓｔｅｒ  Ｓｙｓｔｅｍ  Ｉｎｆｏｒｍａｔｉｏｎ  Ｂｌｏｃｋ）以外のＲＲＣ（Ｒａｄｉｏ  Ｒｅｓｏｕｒｃｅ  Ｃｏｎｔｒｏｌ）シグナリングを伝送することで、前記ＣＯＲＥＳＥＴ０の前記目標ＴＣＩ状態情報を取得することを含み、ここで、前記ＲＲＣシグナリングは、前記ＣＯＲＥＳＥＴ０の識別値を示す第１パラメータ域と、前記ＣＯＲＥＳＥＴ０に対応するＴＣＩ状態を示す第２パラメータ域とを含む、請求項１に記載のチャネル伝送方法。
【請求項７】
前記ＲＲＣシグナリングは、前記ＣＯＲＥＳＥＴ０の他のパラメータを示すための他のパラメータ域をさらに含み、他のパラメータ域によって示されるパラメータは、前記ＭＩＢによって前記ＣＯＲＥＳＥＴ０に対する示されるパラメータと同じである、請求項６に記載のチャネル伝送方法。
【請求項８】
前記のＭＩＢ以外のＲＲＣシグナリングを伝送することで、前記ＣＯＲＥＳＥＴ０の前記目標ＴＣＩ状態情報を取得することは、
ＭＩＢ以外のＲＲＣシグナリングの伝送を検出することと、
前記第１パラメータ域と第２パラメータ域とに基づいて、前記ＣＯＲＥＳＥＴ０の前記目標ＴＣＩ状態情報を特定することと、
前記ＲＲＣシグナリングの前記他のパラメータ域を無視することと、を含む請求項７に記載のチャネル伝送方法。
【請求項９】
前記第２パラメータ域により示されたＴＣＩ状態は少なくとも２つである場合、前記ＣＯＲＥＳＥＴ０の前記目標ＴＣＩ状態情報を取得することは、
ＭＡＣ（Ｍｅｄｉｕｍ  Ａｃｃｅｓｓ  Ｃｏｎｔｒｏｌ）ＣＥ（Ｃｏｎｔｒｏｌ  Ｅｌｅｍｅｎｔ）を通じて、前記ＣＯＲＥＳＥＴ０のＴＣＩ状態を活性化するための活性化情報を受信することと、
前記活性化情報に基づいて、前記少なくとも２つのＴＣＩ状態から、前記目標ＴＣＩ状態情報を特定することとをさらに含む、請求項６に記載のチャネル伝送方法。
【請求項１０】
前記第２パラメータ域により示されたＴＣＩ状態の基準信号はＳＳＢ（Ｓｙｎｃｈｒｏｎｉｚａｔｉｏｎ  Ｓｉｇｎａｌ  ａｎｄ  ＰＢＣＨ  Ｂｌｏｃｋ）であり、ここで、異なるＴＣＩ状態に対応するＳＳＢのインデックス番号は異なる、請求項６に記載のチャネル伝送方法。
【請求項１１】
前記の識別値が０である制御リソースセットＣＯＲＥＳＥＴ０の目標ＴＣＩ状態情報を取得することは、
受信したＳＳＢに基づいて、前記ＳＳＢの受信品質を算出することと、
前記ＳＳＢの受信品質が、前記ＣＯＲＥＳＥＴ０に対応する目標ＳＳＢの受信品質よりも高い場合、前記ＳＳＢに対応するＣＯＲＥＳＥＴを新たなＣＯＲＥＳＥＴ０として特定することと、
前記新たなＣＯＲＥＳＥＴ０の前記目標ＴＣＩ状態情報を取得することとを含む、請求項１に記載のチャネル伝送方法。
【請求項１２】
前記ＳＳＢは、サービングセルのＳＳＢ又は目標セルのＳＳＢである、請求項１１に記載のチャネル伝送方法。
【請求項１３】
端末（２００）であって、
識別値が０である制御リソースセットＣＯＲＥＳＥＴ０の目標ＴＣＩ状態情報を取得することに用いられる第１取得モジュール（２１０）と、
所定の条件が満たされると、物理下りチャネルを、前記目標ＴＣＩ状態情報に基づいて受信することに用いられる第１受信モジュール（２２０）とを含み、ここで、前記物理下りチャネルは、ＰＤＣＣＨ及びＰＤＳＣＨのうちの少なくとも１つを含むことを特徴とする、端末。
【請求項１４】
ネットワーク機器側に適用されるチャネル伝送方法であって、
識別値が０である制御リソースセットＣＯＲＥＳＥＴ０のために目標ＴＣＩ状態情報（４１）を設定することと、
所定の条件が満たされると、物理下りチャネル（４２）を、前記目標ＴＣＩ状態情報に基づいて送信することとを含み、ここで、前記物理下りチャネルは、ＰＤＣＣＨ及びＰＤＳＣＨのうちの少なくとも１つを含むことを特徴とする、チャネル伝送方法。
【請求項１５】
ネットワーク機器（５００）であって、
識別値が０である制御リソースセットＣＯＲＥＳＥＴ０のために目標ＴＣＩ状態情報を設定することに用いられる設定モジュール（５１０）と、
所定の条件が満たされると、物理下りチャネルを、前記目標ＴＣＩ状態情報に基づいて送信することに用いられる第１送信モジュール（５２０）とを含み、ここで、前記物理下りチャネルは、ＰＤＣＣＨ及びＰＤＳＣＨのうちの少なくとも１つを含むことを特徴とする、ネットワーク機器。
【国際調査報告】
2021520129.tif 000009
2021520129.tif 000010
2021520129.tif 000011
2021520129.tif 000012